(57)【要約】【課題】装置の大型化を招くことなく、ケーブルに付着した雨水や埃等を効果的に除去することが可能な開閉装置の提供。【解決手段】プーリケース４１には、プーリケース４１の内部への異物の侵入を抑えるシールカバー４６が設けられ、シールカバー４６には、プーリケース４１の内外を連通するとともに、閉側ケーブル１８および開側ケーブル１９の外周の一部が摺接するスリット状の閉側ケーブル挿通孔４６ｃおよび開側ケーブル挿通孔４６ｄが設けられている。これにより、ケーブルに付着した雨水や埃等を除去する管状のシール機構等を、シールカバーの外側に突出させて設ける必要がなく、シールカバー４６にスリット状の各ケーブル挿通孔４６ｃ，４６ｄを設けるだけで済む。【選択図】図６
2020084605.tif 000002
【特許請求の範囲】
【請求項１】
ガイドレールに移動自在に支持される開閉体を開閉する開閉装置であって、
前記開閉体に設けられる駆動装置と、
前記駆動装置に設けられ、前記開閉体を移動させるケーブルが巻き掛けられるドラムと、
前記ガイドレールの近傍に設けられ、前記ケーブルの向きを前記ガイドレールの延在方向に向けるプーリと、
前記プーリを回転自在に収容するプーリケースと、
前記プーリケースに設けられ、前記プーリケースの内部への異物の侵入を抑えるシールカバーと、
前記シールカバーに設けられ、前記プーリケースの内外を連通するとともに、前記ケーブルの外周の一部が摺接するスリット状のケーブル挿通孔と、
を備えている、
開閉装置。
【請求項２】
請求項１記載の開閉装置において、
前記ケーブル挿通孔の長手方向に沿う長さ寸法が、前記ケーブルの前記プーリケースに対する引き出し角度の変化を許容する長さ寸法となっている、
開閉装置。
【請求項３】
請求項１または２記載の開閉装置において、
前記ケーブルの直径寸法が、前記ケーブル挿通孔を弾性変形させる大きさとなっている、
開閉装置。
【請求項４】
請求項１〜３のいずれか１項に記載の開閉装置において、
前記シールカバーの内側でかつ前記ケーブル挿通孔の周囲に、前記シールカバーの内側に突出し、前記ケーブルの外周の一部が摺接する摺接壁部が設けられ、
前記摺接壁部の突出高さが、前記シールカバーの肉厚寸法よりも大きくなっている、
開閉装置。
【請求項５】
請求項１〜４のいずれか１項に記載の開閉装置において、
前記ケーブルは、前記開閉体を閉じる方向に移動させる閉側ケーブルおよび前記開閉体を開ける方向に移動させる開側ケーブルを有し、
前記ケーブル挿通孔は、前記閉側ケーブルが挿通される閉側ケーブル挿通孔および前記開側ケーブルが挿通される開側ケーブル挿通孔を有し、
前記閉側ケーブル挿通孔の長手方向に沿う長さ寸法が、前記開側ケーブル挿通孔の長手方向に沿う長さ寸法よりも大きくなっている、
開閉装置。
【発明の詳細な説明】
【技術分野】
【０００１】
本発明は、ガイドレールに移動自在に支持される開閉体を開閉する開閉装置に関する。
【背景技術】
【０００２】
ミニバン等の車両の側部には、比較的大きな開口部が設けられ、この開口部は、車両の前後方向に移動するスライドドア（開閉体）により開閉自在となっている。例えば、特許文献１には、駆動装置の駆動によりスライドドアを自動で開閉させるようにした開閉装置が記載されている。
【０００３】
特許文献１に記載された開閉装置（車両用開閉装置）は、スライドドアの内部に駆動ユニット（駆動装置）が搭載され、この駆動ユニットからは、閉側ケーブルおよび開側ケーブルが出入りされる。そして、閉側ケーブルの先端はケーブルガイドの前端に取り付けられ、開側ケーブルの先端はケーブルガイドの後端に取り付けられている。
【０００４】
閉側ケーブルおよび開側ケーブルは、プーリユニットのガイドプーリ（プーリ）を介してスライドドア内から車体の側部にそれぞれ引き出され、閉側ケーブルは車体の前方に向けて配策され、開側ケーブルは車体の後方に向けて配策される。なお、ガイドプーリには、閉側ケーブルおよび開側ケーブルがそれぞれ巻き掛けられるケーブル溝が設けられ、これらのケーブル溝は、ガイドプーリの軸方向に並んで配置されている。
【０００５】
そして、ガイドプーリはガイドカバーによって覆われており、閉側ケーブルおよび開側ケーブルは、それぞれガイドプーリからガイドカバーを介してケーブルガイドの部分（外部）に引き出されている。
【先行技術文献】
【特許文献】
【０００６】
【特許文献１】特開２０１４−１８１５３６号公報
【発明の概要】
【発明が解決しようとする課題】
【０００７】
ところで、上述の特許文献１に記載された開閉装置では、閉側ケーブルおよび開側ケーブルは、ケーブルガイドに沿う部分において、それぞれ外部に露出した状態となっている。つまり、閉側ケーブルおよび開側ケーブルは、雨水や埃等に曝され易くなっている。したがって、プーリユニットを保護するためにも、閉側ケーブルおよび開側ケーブルに付着した雨水や埃等を除去した上で、閉側ケーブルおよび開側ケーブルを、ガイドカバーの内部に設けられたガイドプーリに導くのが望ましい。
【０００８】
そこで、例えば、ガイドカバーのガイドプーリの近傍に、閉側ケーブルおよび開側ケーブルに付着した雨水や埃等を除去するシールカバーを装着することが考えられる。しかしながら、ガイドプーリはケーブルガイドの近くを移動するため、単にシールカバーを装着したのでは、ガイドプーリとケーブルガイドとの間にシールカバーのためのスペースが必要となり、装置の大型化を招くことになった。したがって、シールカバーの形状に工夫を施す必要があった。
【０００９】
本発明の目的は、装置の大型化を招くことなく、ケーブルに付着した雨水や埃等を効果的に除去することが可能な開閉装置を提供することにある。
【課題を解決するための手段】
【００１０】
本発明の一態様では、ガイドレールに移動自在に支持される開閉体を開閉する開閉装置であって、前記開閉体に設けられる駆動装置と、前記駆動装置に設けられ、前記開閉体を移動させるケーブルが巻き掛けられるドラムと、前記ガイドレールの近傍に設けられ、前記ケーブルの向きを前記ガイドレールの延在方向に向けるプーリと、前記プーリを回転自在に収容するプーリケースと、前記プーリケースに設けられ、前記プーリケースの内部への異物の侵入を抑えるシールカバーと、前記シールカバーに設けられ、前記プーリケースの内外を連通するとともに、前記ケーブルの外周の一部が摺接するスリット状のケーブル挿通孔と、を備えている。
【００１１】
本発明の他の態様では、前記ケーブル挿通孔の長手方向に沿う長さ寸法が、前記ケーブルの前記プーリケースに対する引き出し角度の変化を許容する長さ寸法となっている。
【００１２】
本発明の他の態様では、前記ケーブルの直径寸法が、前記ケーブル挿通孔を弾性変形させる大きさとなっている。
【００１３】
本発明の他の態様では、前記シールカバーの内側でかつ前記ケーブル挿通孔の周囲に、前記シールカバーの内側に突出し、前記ケーブルの外周の一部が摺接する摺接壁部が設けられ、前記摺接壁部の突出高さが、前記シールカバーの肉厚寸法よりも大きくなっている。
【００１４】
本発明の他の態様では、前記ケーブルは、前記開閉体を閉じる方向に移動させる閉側ケーブルおよび前記開閉体を開ける方向に移動させる開側ケーブルを有し、前記ケーブル挿通孔は、前記閉側ケーブルが挿通される閉側ケーブル挿通孔および前記開側ケーブルが挿通される開側ケーブル挿通孔を有し、前記閉側ケーブル挿通孔の長手方向に沿う長さ寸法が、前記開側ケーブル挿通孔の長手方向に沿う長さ寸法よりも大きくなっている。
【発明の効果】
【００１５】
本発明によれば、プーリケースには、プーリケースの内部への異物の侵入を抑えるシールカバーが設けられ、シールカバーには、プーリケースの内外を連通するとともに、ケーブルの外周の一部が摺接するスリット状のケーブル挿通孔が設けられている。
【００１６】
これにより、ケーブルに付着した雨水や埃等を除去する管状のシール機構等を、シールカバーの外側に突出させて設ける必要がなく、シールカバーにスリット状のケーブル挿通孔を設けるだけで済む。したがって、シールカバーを含む装置全体の大型化を招くことなく、ケーブルに付着した雨水や埃等を効果的に除去することができ、ひいては装置の長寿命化を図ることが可能となる。
【図面の簡単な説明】
【００１７】
【図１】本発明に係る開閉装置を備えた車両の側面図である。
【図２】図１のプーリユニットの詳細を示す側面図である。
【図３】プーリユニットを斜め上方から見た斜視図である。
【図４】プーリユニットの内部構造を説明する説明図である。
【図５】（ａ），（ｂ）は、ガイド板およびケーブルセパレータの構造を説明する斜視図である。
【図６】プーリケースおよびシールカバーの構造を説明する斜視図である。
【図７】シールカバーの内側の構造を説明する斜視図である。
【図８】閉側ケーブル挿通孔の形状を説明する断面図である。
【図９】閉側ケーブルおよび開側ケーブルの引き出し角度の変化を説明する説明図である。
【図１０】プーリユニットとケーブルガイドとの位置関係を説明する説明図である。
【発明を実施するための形態】
【００１８】
以下、本発明の一実施の形態について図面を用いて詳細に説明する。
【００１９】
図１は本発明に係る開閉装置を備えた車両の側面図を、図２は図１のプーリユニットの詳細を示す側面図を、図３はプーリユニットを斜め上方から見た斜視図を、図４はプーリユニットの内部構造を説明する説明図を、図５（ａ），（ｂ）はガイド板およびケーブルセパレータの構造を説明する斜視図を、図６はプーリケースおよびシールカバーの構造を説明する斜視図を、図７はシールカバーの内側の構造を説明する斜視図を、図８は閉側ケーブル挿通孔の形状を説明する断面図を、図９は閉側ケーブルおよび開側ケーブルの引き出し角度の変化を説明する説明図を、図１０はプーリユニットとケーブルガイドとの位置関係を説明する説明図をそれぞれ示している。
【００２０】
図１に示される車両１０は、軽自動車規格のワゴンタイプの乗用車である。車両１０は車体１１を備え、車体１１の側部には、乗員等が容易に乗り降り可能な開口部１２が形成されている。開口部１２は、車両１０の前後方向（図中左右方向）に移動されるスライドドア（開閉体）１３により、開閉自在となっている。
【００２１】
スライドドア１３は、車両用開閉装置（開閉装置）１４の駆動により移動される。すなわち、車両用開閉装置１４は、スライドドア１３を開閉させる。車両用開閉装置１４はローラユニット１５を備え、当該ローラユニット１５は、スライドドア１３の車両後方側（図中右側）の端部で、かつ上下方向の略中間部分に配置されている。一方、車体１１の開口部１２よりも車両後方側で、かつ上下方向の略中間部分には、センターレール（ガイドレール）１６が固定されている。
【００２２】
図２に示されるように、ローラユニット１５は、本体ブラケット１５ａを備えている。本体ブラケット１５ａには、複数のローラ（図示せず）が回転自在に設けられている。また、本体ブラケット１５ａは、スライドドア１３に固定された支持ブラケット（図示せず）に対して、揺動自在に支持されている。具体的には、本体ブラケット１５ａは、スライドドア１３に対して水平方向に揺動自在となっている。
【００２３】
センターレール１６は、ステンレス鋼板等をプレス成形することで、断面が略Ｕ字形状の棒状に形成されている。そして、センターレール１６の車両前方側（図中左側）は、車室内側（図中奥側）に湾曲されている。これにより、ローラユニット１５の各ローラがセンターレール１６上を走行し、スライドドア１３が車体１１の側部に沿って車両１０の前後方向に移動され、開口部１２が開閉される。このとき、ローラユニット１５がセンターレール１６の車両前方に案内され、スライドドア１３の車両後方側が車室内側に引き込まれることで、スライドドア１３は車体１１の側面に対して面一となる。
【００２４】
なお、スライドドア１３の車両前方側の上下部分には、アッパーローラユニットおよびロワーローラユニット（いずれも図示せず）が設けられている。これに対応して、車体１１の開口部１２の上下部分には、アッパーレールおよびロワーレール（いずれも図示せず）が設けられている。このように、スライドドア１３は、車体１１に対して、３つのレールおよび３つのローラユニットにより、安定した状態で移動自在に支持されている。
【００２５】
図１に示されるように、車両用開閉装置１４は、駆動装置１７を備えている。駆動装置１７は、スライドドア１３の内部に設けられ、正逆回転される回転軸（図示せず）を備えた電動モータ１７ａと、電動モータ１７ａにより正逆回転されるドラム１７ｂを収容したドラム部１７ｃと、を備えている。
【００２６】
そして、ドラム１７ｂには、閉側ケーブル１８（図３参照）の基端側および開側ケーブル１９（図３参照）の基端側がそれぞれ巻き掛けられている。具体的には、閉側ケーブル１８が巻き取られると開側ケーブル１９が繰り出され、開側ケーブル１９が巻き取られると閉側ケーブル１８が繰り出されるように、各ケーブル１８，１９の基端側がドラム１７ｂに巻き掛けられている。
【００２７】
これにより、電動モータ１７ａを正逆回転させることで、各ケーブル１８，１９が互いに逆向きに駆動（移動）される。すなわち、各ケーブル１８，１９は、駆動装置１７によって駆動され、閉側ケーブル１８が巻き取られると、スライドドア１３は開口部１２を閉じる方向に移動する。これとは逆に、開側ケーブル１９が巻き取られると、スライドドア１３は開口部１２を開く方向に移動する。
【００２８】
図１ないし図４に示されるように、車両用開閉装置１４は、プーリユニット２０を備えている。プーリユニット２０は、駆動装置１７とローラユニット１５との間に設けられ、ドラム１７ｂから引き出された閉側ケーブル１８および開側ケーブル１９を、ローラユニット１５の近傍に引き出している。そして、プーリユニット２０により、閉側ケーブル１８の先端側が車体１１の前方側に配策され、開側ケーブル１９の先端側が車体１１の後方側に配策されている。つまり、プーリユニット２０は、各ケーブル１８，１９を、それぞれ車体１１の前後に振り分ける機能を備えている。
【００２９】
ここで、閉側ケーブル１８の先端側は、ケーブルガイド５０（図１および図２参照）の車両前方側に固定され、開側ケーブル１９の先端側は、ケーブルガイド５０の車両後方側に固定されている。
【００３０】
図２ないし図４に示されるように、プーリユニット２０は、スライドドア１３に固定される第１ユニット部材３０と、本体ブラケット１５ａに固定される第２ユニット部材４０と、から構成されている。
【００３１】
第１ユニット部材３０は、プラスチック等の樹脂材料よりなる本体部３１を備えている。本体部３１の内部には、図４に示されるように、中空部３１ａが形成され、当該中空部３１ａの内部には、閉側ケーブル１８および開側ケーブル１９が、互いに非接触の状態でそれぞれ挿通されている。
【００３２】
また、第１ユニット部材３０は、プラスチック等の樹脂材料よりなるカバー部材３２を備えている。カバー部材３２は、本体部３１の本体開口部３１ｂを閉塞している。これにより、第１ユニット部材３０の内部、つまり中空部３１ａに挿通された各ケーブル１８，１９に雨水や埃等が付着することが抑えられる。
【００３３】
なお、図４においては、第１ユニット部材３０の内部構造を判り易くするために、本体部３１のみを示し、それに装着されるカバー部材３２の図示を省略している。さらに、第２ユニット部材４０の内部構造を判り易くするために、プーリケース４１のみを示し、それに装着されるケーブルセパレータ４３およびシールカバー４６の図示を省略している。
【００３４】
本体部３１とカバー部材３２との間には、キャップ部材３３が装着されている。キャップ部材３３には、一対のケーブル穴３３ａ，３３ｂが所定の間隔で設けられ、これらのケーブル穴３３ａ，３３ｂには、各ケーブル１８，１９がそれぞれ挿通されている。これにより、中空部３１ａにおいて、各ケーブル１８，１９が互いに接触することが防止される。
【００３５】
ここで、閉側ケーブル１８および開側ケーブル１９は、複数の金属細線を撚って形成され、かつその外周を覆うように樹脂製の外皮（図示せず）が設けられている。中空部３１ａにおいては、上述のように各ケーブル１８，１９が互いに接触することが防止されている。したがって、中空部３１ａにおいて、各ケーブル１８，１９の外皮に傷が付くことはない。
【００３６】
なお、キャップ部材３３は、本体部３１およびカバー部材３２の双方に対して、段差部ＤＳ（図４では本体部３１側の段差部ＤＳのみ示す）によって、抜け止めされている。
【００３７】
本体部３１およびカバー部材３２の長手方向に沿うキャップ部材３３寄りの部分（図２および図３中左側）には、スライドドア１３に固定される一対の固定脚３１ｃ，３２ａが一体に設けられている。一対の固定脚３１ｃ，３２ａには、金属製のカラー部材３１ｄ，３２ｂが装着され、これらのカラー部材３１ｄ，３２ｂには、固定ボルト（図示せず）が挿通される。これにより、第１ユニット部材３０は、スライドドア１３に対して強固に固定される。
【００３８】
なお、カバー部材３２は、本体部３１に対して、合計４つの固定ねじＳ（図２では１つのみ示し、図３では２つのみ示す）によって、取り付けられている。
【００３９】
図４に示されるように、本体部３１およびカバー部材３２の長手方向に沿うキャップ部材３３側とは反対側（図中上側）には、第２ユニット部材４０のプーリケース４１を揺動自在に支持する支持軸３４が設けられている。この支持軸３４は、本体部３１とカバー部材３２との間に挟まれるようにして設けられている。そして、支持軸３４には、プーリケース４１の揺動腕４１ｄが揺動自在に支持されている。
【００４０】
ここで、本体部３１およびカバー部材３２における支持軸３４の周囲には、揺動腕４１ｄの揺動動作をスムーズにするための複数の第１摺接リブ３５が設けられている。なお、図４においては、本体部３１側の第１摺接リブ３５のみが示されている。また、揺動腕４１ｄには、ケーブルセパレータ４３（図５（ｂ）参照）が装着されている。これにより、ケーブルセパレータ４３は、本体部３１およびカバー部材３２に対して全面で摺接せずに、それぞれの第１摺接リブ３５に摺接される。よって、揺動腕４１ｄは、スムーズに揺動することができる。
【００４１】
さらに、本体部３１にカバー部材３２を装着した状態で、第１ユニット部材３０の支持軸３４の近傍には、ユニット開口部３０ａが形成されている。このユニット開口部３０ａは、第１ユニット部材３０の長手方向で、かつ第２ユニット部材４０側に向けて大きく開口され、これにより、第２ユニット部材４０は第１ユニット部材３０に対して大きく揺動可能となっている。具体的には、図４の矢印ＳＷに示されるように、第２ユニット部材４０は、第１ユニット部材３０に対して、例えば45°の角度範囲で揺動自在となっている。
【００４２】
このように、第２ユニット部材４０を、第１ユニット部材３０に対して、支持軸３４を中心に揺動自在とすることで、スライドドア１３の車体１１への引き込み時において、第２ユニット部材４０は、ケーブルガイド５０（図１および図２参照）の車両前方側の車室内側に湾曲された部分に倣って揺動される。
【００４３】
図２ないし図４に示されるように、第２ユニット部材４０は、プラスチック等の樹脂材料よりなるプーリケース４１を備え、当該プーリケース４１は、本体ブラケット１５ａに固定されるケース本体４１ａを有している。ケース本体４１ａは中空となっており、その内部には、閉側ケーブル１８および開側ケーブル１９が挿通されている。
【００４４】
そして、ケース本体４１ａには、金属製の金属カラー４１ｂがそれぞれ装着された一対のボルト挿通孔４１ｃが設けられている。これらのボルト挿通孔４１ｃは、図４に示されるように、ケース本体４１ａの内部を通る各ケーブル１８，１９を避けた位置に配置されている。
【００４５】
プーリケース４１の長手方向に沿う第１ユニット部材３０側には、揺動腕４１ｄが設けられている。揺動腕４１ｄの基端側はケース本体４１ａに連結され、揺動腕４１ｄはケース本体４１ａよりも幅狭に形成されている。そして、揺動腕４１ｄの先端側は、第１ユニット部材３０のユニット開口部３０ａから中空部３１ａに入り込んでおり、支持軸３４に揺動自在に支持されている。これにより、プーリケース４１は、図中矢印ＳＷに示されるように揺動される。
【００４６】
図４および図５に示されるように、揺動腕４１ｄの先端側で、かつ支持軸３４の近傍には、支持軸３４の軸方向と交差する方向の断面形状が略円弧形状に形成されたガイド板装着部４１ｅが設けられている。このガイド板装着部４１ｅの曲率半径は、ガイド板４２（図中網掛け部分）の径方向内側の曲率半径よりも若干大きい曲率半径となっている。これにより、ガイド板４２のガイド板装着部４１ｅに対するがたつきが確実に抑えられる。また、ガイド板装着部４１ｅの長手方向両側には、ガイド板４２に設けられた一対の係合爪４２ａがそれぞれ係合される係合凹部４１ｆが設けられている。
【００４７】
なお、ガイド板装着部４１ｅは、支持軸３４の径方向外側に設けられている。これにより、第１ユニット部材３０に対する第２ユニット部材４０の揺動時に、ガイド板装着部４１ｅに装着されたガイド板４２は、支持軸３４の径方向外側で揺動される。よって、ガイド板４２のサイズを大きくすることなく、各ケーブル１８，１９を、ガイド板４２の摺接曲面ＳＦに常時摺接させることができる。
【００４８】
ここで、ガイド板装着部４１ｅに装着されるガイド板４２は、例えばステンレス鋼板をプレス加工等することで略円弧形状に形成されている。また、ガイド板４２の長手方向両側には、ガイド板４２の径方向内側に屈曲して形成された係合爪４２ａがそれぞれ設けられている。そして、ガイド板４２の径方向外側に形成された円弧形状の摺接曲面ＳＦには、車両用開閉装置１４（図１参照）の作動時において、各ケーブル１８，１９が摺接するようになっている。
【００４９】
なお、各ケーブル１８，１９は、摺接曲面ＳＦに対して、ある程度の摺動抵抗を持って摺接されるが、各ケーブル１８，１９の外周には樹脂製の外皮が設けられている。そのため、各ケーブル１８，１９の摺接曲面ＳＦに対する摺動抵抗は、それほど大きくならずに済み、スライドドア１３の移動に悪影響を与えることはない。ただし、各ケーブル１８，１９の摺接曲面ＳＦに対する摺動抵抗をより小さくする場合には、ガイド板４２の摺接曲面ＳＦに、ＰＴＦＥ（四フッ化エチレン樹脂）等の被膜を設ければ良い。
【００５０】
また、ガイド板４２は、駆動装置１７のドラム１７ｂと、プーリ収容部４１ｈに収容されたプーリ４５と、の間に設けられている。すなわち、ガイド板４２は、ドラム１７ｂから引き出されて、第１ユニット部材３０の中空部３１ａに挿通された各ケーブル１８，１９の向きを、プーリ４５に向ける機能を備えている。
【００５１】
図５に示されるように、揺動腕４１ｄのガイド板装着部４１ｅの近傍には、ガイド板４２に摺接される閉側ケーブル１８および開側ケーブル１９が、互いに接触するのを防止する突起部４１ｇが設けられている。具体的には、突起部４１ｇは、支持軸３４の軸方向と交差する方向に沿うガイド板４２との対向部分に配置されている。
【００５２】
そして、突起部４１ｇの突出高さは、突起部４１ｇの先端部分が、ガイド板４２の摺接曲面ＳＦに対して殆ど隙間なく近接する高さに設定されている。これにより、ガイド板４２に摺接される各ケーブル１８，１９は、突起部４１ｇによって互いに分離されて、互いに接触することが防止される。
【００５３】
ここで、各ケーブル１８，１９同士の接触は、特に、ガイド板４２の部分において確実に防止しておく必要がある。つまり、ガイド板４２の部分の各ケーブル１８，１９が挿通される部分は幅狭であり、しかも車両用開閉装置１４の作動時にはガイド板４２の部分で各ケーブル１８，１９は互いに逆向きに移動されるため、当該部分での各ケーブル１８，１９の相対速度は高速となる。
【００５４】
よって、各ケーブル１８，１９を分離しておかないと、各ケーブル１８，１９同士が容易に接触されて、ひいては各ケーブル１８，１９の外皮が早期に損傷することが起こり得る。この不具合をより確実に防止するためにも、本実施の形態では突起部４１ｇを設けて各ケーブル１８，１９を分離している。
【００５５】
さらに、図５（ｂ）に示されるように、揺動腕４１ｄには、ケーブルセパレータ４３が装着されている。ケーブルセパレータ４３は、プラスチック等の樹脂材料により所定形状に形成され、突起部４１ｇと同様に、各ケーブル１８，１９同士の接触を防止すべく、各ケーブル１８，１９を確実に分離させる機能を有している。
【００５６】
具体的には、ケーブルセパレータ４３の第１ユニット部材３０側には、ケーブルセパレータ４３の開口部分を２つに分ける橋渡し部４３ａが設けられている。これにより、ガイド板４２に向かう各ケーブル１８，１９を分離させて、各ケーブル１８，１９同士の接触が確実に防止される。
【００５７】
さらに、支持軸３４の軸方向に沿うケーブルセパレータ４３の両側には、複数の第２摺接リブ４３ｂがそれぞれ設けられている。これらの第２摺接リブ４３ｂは、本体部３１およびカバー部材３２に設けられた複数の第１摺接リブ３５（図４参照）と同様の機能を有し、揺動腕４１ｄの揺動動作をスムーズにするものである。
【００５８】
図４に示されるように、プーリケース４１の長手方向に沿う揺動腕４１ｄ側とは反対側には、プーリ収容部４１ｈが設けられている。さらに、図６に示されるように、プーリ収容部４１ｈのケース本体４１ａ側とは反対側（図中下側）には、プーリ装着用開口部４１ｋが設けられている。そして、プーリ装着用開口部４１ｋから、プーリ４５が装着されるようになっている。
【００５９】
また、プーリ収容部４１ｈには、当該プーリ収容部４１ｈをその厚み方向に横切るようにしてプーリ軸４４が装着されている。このプーリ軸４４は、鋼材により略円柱形状に形成され、プーリ軸４４には、プーリ４５が回転自在に装着されている。これにより、プーリ４５は、プーリ収容部４１ｈに回転自在に収容されている。
【００６０】
ここで、プーリ収容部４１ｈにプーリ４５を組み付けるには、まず、プーリ装着用開口部４１ｋからプーリ収容部４１ｈにプーリ４５を差し込み、その後、図中矢印Ｍ１に示されるように、プーリ収容部４１ｈにプーリ軸４４を固定する。これにより、プーリ軸４４にプーリ４５が回転自在に支持される。
【００６１】
プーリ４５は、プラスチック等の樹脂材料を射出成形することで略円板状に形成され、その外周部分には、閉側プーリ溝４５ａおよび開側プーリ溝４５ｂが設けられている。これらのプーリ溝４５ａ，４５ｂは、プーリ軸４４（プーリ４５）の軸方向に並んで配置されている。そして、閉側プーリ溝４５ａには閉側ケーブル１８が配策され、開側プーリ溝４５ｂには開側ケーブル１９が配策されている。
【００６２】
ここで、各プーリ溝４５ａ，４５ｂに対する各ケーブル１８，１９の配策方向は、図６に示されるように互いに逆向きとなっている。具体的には、閉側プーリ溝４５ａに配策された閉側ケーブル１８は、車両前方側（図中右側）に引き出されている。一方、開側プーリ溝４５ｂに配策された開側ケーブル１９は、車両後方側（図中左側）に引き出されている。ここで、各ケーブル１８，１９の直径寸法Ｄ（線径）は、略3.0mm程度となっている。
【００６３】
また、図２に示されるように、プーリケース４１のプーリ収容部４１ｈは、センターレール１６の近傍に配置されている。つまり、プーリ収容部４１ｈに収容されたプーリ４５においても、センターレール１６の近傍に配置されている。そして、プーリ４５は、閉側ケーブル１８および開側ケーブル１９の向きを、センターレール１６の延在方向、つまり車両前後方向にそれぞれ向けている。
【００６４】
図６に示されるように、プーリ軸４４の軸方向に沿うプーリ収容部４１ｈの両側でかつ外側には、シール用位置決め突起４１ｍ（図示では一方側のみ示す）がそれぞれ設けられている。これらのシール用位置決め突起４１ｍは、プーリケース４１の長手方向と交差する方向に直線状に延びており、シールカバー４６のシール本体４６ａにおける縁部ＥＤが装着される（図９参照）。これにより、シールカバー４６がプーリ収容部４１ｈの正規の位置に位置決めされる。
【００６５】
また、プーリ収容部４１ｈの外側には、断面が略Ｕ字形状に形成された一対の引っ掛け部４１ｎが一体に設けられている。具体的には、一対の引っ掛け部４１ｎは、プーリ収容部４１ｈの外側かつプーリ４５の径方向外側において、互いに対向配置されている。これにより、プーリ軸４４の軸方向に沿ってプーリ収容部４１ｈの厚み寸法が増大するのを防止している。なお、一対の引っ掛け部４１ｎには、シールカバー４６の掛止片４６ｂがそれぞれ引っ掛けられている。
【００６６】
図６ないし図１０に示されるように、プーリ収容部４１ｈには、シールカバー４６が装着されている。このシールカバー４６は、ゴム等の弾性材料により所定形状に形成され、プーリ収容部４１ｈの内部に雨水等（異物）が侵入するのを抑えるものである。
【００６７】
具体的には、シールカバー４６は、略カップ形状に形成されたシール本体４６ａを備えている。そして、シール本体４６ａは、プーリ収容部４１ｈのプーリ装着用開口部４１ｋを閉塞し、かつプーリ収容部４１ｈのプーリ軸４４の部分を覆っている。これにより、プーリ装着用開口部４１ｋの部分、およびプーリ収容部４１ｈのプーリ軸４４の部分から、プーリ収容部４１ｈの内部に雨水等が侵入することが抑えられる。
【００６８】
また、シール本体４６ａの開口側（図６中上側，図７中手前側および図８中左側）には、一対の掛止片４６ｂが一体に設けられている。これらの掛止片４６ｂは、プーリ収容部４１ｈに設けられた一対の引っ掛け部４１ｎに引っ掛けられるようになっている。
【００６９】
ここで、シールカバー４６をプーリ収容部４１ｈに装着するには、図６の矢印Ｍ２に示されるように、まず、シールカバー４６の開口側をプーリ収容部４１ｈに臨ませて、一対の掛止片４６ｂの先端側を一対の引っ掛け部４１ｎにそれぞれ差し込む。次いで、一対の掛止片４６ｂの先端側を引っ張り、それぞれの掛止片４６ｂをそれぞれの引っ掛け部４１ｎに引っ掛ける。これにより、シール本体４６ａの開口側にある縁部ＥＤが、プーリ収容部４１ｈに設けられたシール用位置決め突起４１ｍに装着されて、シールカバー４６がプーリ収容部４１ｈの正規の位置に装着される（図９参照）。
【００７０】
さらに、シール本体４６ａの開口側とは反対側（図６中下側，図７中奥側および図８中右側）には、閉側ケーブル挿通孔４６ｃおよび開側ケーブル挿通孔４６ｄが設けられている。これらのケーブル挿通孔４６ｃ，４６ｄは、シール本体４６ａの底部ＢＴの部分に、その長手方向（図６中左右方向）に沿うようにして切り込みを入れることで、スリット状に形成されている。そして、一対のケーブル挿通孔４６ｃ，４６ｄは、プーリ収容部４１ｈ（プーリケース４１）の内外を連通している。
【００７１】
閉側ケーブル挿通孔４６ｃおよび開側ケーブル挿通孔４６ｄは、プーリ軸４４（プーリ４５）の軸方向に対して、互いに所定量ずれた位置に配置されている。これにより、プーリ４５をその軸方向と直交する方向から見たときに、閉側ケーブル挿通孔４６ｃは閉側プーリ溝４５ａと対向し、開側ケーブル挿通孔４６ｄは開側プーリ溝４５ｂと対向する。
【００７２】
ここで、上述のように各ケーブル挿通孔４６ｃ，４６ｄは、プーリ軸４４の軸方向に対して、互いに所定量ずれた位置に配置されるが、図９においては、説明の便宜上、各ケーブル挿通孔４６ｃ，４６ｄがそれぞれ現れた断面図となっている。
【００７３】
このように、閉側ケーブル挿通孔４６ｃを閉側プーリ溝４５ａと対向させることで、閉側ケーブル１８を閉側ケーブル挿通孔４６ｃから容易に引き出せるようになっている。また、開側ケーブル挿通孔４６ｄを開側プーリ溝４５ｂと対向させることで、開側ケーブル１９を開側ケーブル挿通孔４６ｄから容易に引き出せるようになっている。
【００７４】
ここで、図７に示されるように、閉側ケーブル挿通孔４６ｃの長手方向に沿う長さ寸法Ｌ１（約25.0mm）は、開側ケーブル挿通孔４６ｄの長手方向に沿う長さ寸法Ｌ２（約20.0mm）よりも大きくなっている（Ｌ１＞Ｌ２）。これは、図９に示されるように、閉側ケーブル１８のプーリ収容部４１ｈに対する引き出し角度の最大変化量α°（約20°）と、開側ケーブル１９のプーリ収容部４１ｈに対する引き出し角度の最大変化量β°（約10°）とが、それぞれ異なるためである。
【００７５】
具体的には、スライドドア１３が完全に閉じる間際では、ローラユニット１５はセンターレール１６の湾曲された部分を通過する。すると、第２ユニット部材４０は、支持軸３４を中心に第１ユニット部材３０に対して揺動する。その際に、閉側ケーブル１８のプーリ収容部４１ｈに対する引き出し角度の最大変化量α°の方が、開側ケーブル１９のプーリ収容部４１ｈに対する引き出し角度の最大変化量β°よりも大きくなる（α°＞β°）。
【００７６】
したがって、各ケーブル１８，１９のプーリ収容部４１ｈ（プーリケース４１）に対する引き出し角度の変化を許容可能とするために、閉側ケーブル挿通孔４６ｃの長手方向に沿う長さ寸法Ｌ１を、開側ケーブル挿通孔４６ｄの長手方向に沿う長さ寸法Ｌ２よりも大きくしている。つまり、閉側ケーブル挿通孔４６ｃの長手方向に沿う長さ寸法Ｌ１および開側ケーブル挿通孔４６ｄの長手方向に沿う長さ寸法Ｌ２は、それぞれ各ケーブル１８，１９のプーリケース４１に対する引き出し角度の変化を許容する長さ寸法に設定されている。
【００７７】
また、図７および図８に示されるように、シールカバー４６の内側で、かつ各ケーブル挿通孔４６ｃ，４６ｄの周囲には、各ケーブル１８，１９の外周の一部が摺接する閉側摺接壁部４６ｅおよび開側摺接壁部４６ｆが、それぞれ設けられている。これらの摺接壁部４６ｅ，４６ｆは、シールカバー４６の内側に突出して設けられ、その突出高さＨ（約4.0mm）は、シールカバー４６の他の部分（例えば底部ＢＴの部分）の肉厚寸法Ｔ（約2.0mm）よりも大きくなっている（Ｈ＞Ｔ）。ここで、図８は、閉側ケーブル挿通孔４６ｄの部分の断面図を示している。
【００７８】
これにより、各ケーブル挿通孔４６ｃ，４６ｄに挿通される各ケーブル１８，１９は、シールカバー４６に対して比較的多くの部分で接触可能となっている。具体的には、図９に示されるように、各ケーブル１８，１９の引き出し角度の変化に伴って、閉側ケーブル１８は閉側摺接壁部４６ｅに対してスライドするようにして摺接し、開側ケーブル１９は開側摺接壁部４６ｆに対してスライドするようにして摺接する。したがって、各ケーブル１８，１９がプーリ収容部４１ｈの内部に移動する（引き込まれていく）際に、各ケーブル１８，１９の表面に付着した雨水や埃等が、各摺接壁部４６ｅ，４６ｆによって効果的に除去される。よって、プーリケース４１の内部に雨水や埃等が侵入し難くなっている。
【００７９】
また、各ケーブル１８，１９の直径寸法Ｄは、略3.0mm程度に設定され、各ケーブル挿通孔４６ｃ，４６ｄの短手方向に沿う幅寸法Ｗは、略1.5mm程度に設定されている（Ｗ＜Ｄ）。これにより、図１０に示されるように、各ケーブル１８，１９は、各ケーブル挿通孔４６ｃ，４６ｄ（各摺接壁部４６ｅ，４６ｆ）を弾性変形させつつ、それぞれ摺動することになる。つまり、各ケーブル１８，１９の直径寸法Ｄは、各ケーブル挿通孔４６ｃ，４６ｄを弾性変形させる大きさとなっている。なお、図１０は、開側ケーブル１９および開側ケーブル挿通孔４６ｄ側を示している。
【００８０】
このように、各ケーブル１８，１９は、プーリ収容部４１ｈに対する引き出し角度の変化に伴って、各摺接壁部４６ｅ，４６ｆに対してスライドするようにして摺接し、かつ各ケーブル挿通孔４６ｃ，４６ｄを弾性変形させつつ摺動する。そのため、各ケーブル１８，１９とシールカバー４６との接触面積が十分に大きくなっている。これにより本実施の形態においては、各ケーブル１８，１９の外周の一部を各ケーブル挿通孔４６ｃ，４６ｄに摺接させているにも関わらず、各ケーブル１８，１９の表面に付着した雨水や埃等を効率良く除去することが可能となっている。
【００８１】
したがって、プーリケース４１の内部に雨水や埃等が十分に侵入し難くなっているため、例えば、可撓性を有しかつシール機能を備えた管状のシール機構等を、シールカバーの外側に突出するようにして設ける必要がなく、シールカバー４６を含むプーリユニット２０の大型化を避けることができる。
【００８２】
さらに、図６，図８，図１０に示されるように、シール本体４６ａの底部ＢＴの部分には、一対の傾斜面４６ｇが設けられている。具体的には、一対の傾斜面４６ｇは、シール本体４６ａの掛止片４６ｂ側とは反対側の各ケーブル挿通孔４６ｃ，４６ｄの近傍に設けられている。そして、図１０に示されるように、一対の傾斜面４６ｇは、シールカバー４６を、ケーブルガイド５０に向けて先細り形状としている。
【００８３】
ここで、ケーブルガイド５０は、プラスチック等の樹脂材料により、センターレール１６の形状と略同様の形状に形成され、センターレール１６の真下（図１および図２参照）に配置されている。つまり、ケーブルガイド５０は、センターレール１６に対して平行に設けられている。
【００８４】
また、図２および図１０に示されるように、ケーブルガイド５０には、閉側ケーブル１８および開側ケーブル１９を保持するケーブル保持溝５１が設けられている。ケーブル保持溝５１は、車室内側に窪んで設けられ、これにより外部に露出される各ケーブル１８，１９に、洗車時等において作業者が触れることが防止される。
【００８５】
そして、図１０に示されるように、シールカバー４６のケーブルガイド５０側は、一対の傾斜面４６ｇによって先細り形状とされ、かつケーブル保持溝５１と対向しており、さらには一対の傾斜面４６ｇの一部がケーブル保持溝５１の内部に入り込んでいる。このように、シールカバー４６に先細り形状となる一対の傾斜面４６ｇを、シールカバー４６のケーブルガイド５０との対向部分に設けることにより、シールカバー４６を含むプーリユニット２０を、ケーブルガイド５０に対して、より近接配置できるようにしている。
【００８６】
また、一対の傾斜面４６ｇは、プーリユニット２０をケーブルガイド５０に対して近接配置可能とする機能に加えて、以下のような機能も有している。すなわち、図６の破線矢印に示されるように、シールカバー４６のシール本体４６ａ上に落ちてきた雨水ＷＡを、プーリユニット２０の先端部分に集約して、その下方に速やかに滴下させる機能を有している。これにより、シールカバー４６が汚れたり早期に劣化したりすることが抑制される。
【００８７】
以上詳述したように、本実施の形態に係る車両用開閉装置１４によれば、プーリケース４１には、プーリケース４１の内部への異物の侵入を抑えるシールカバー４６が設けられ、シールカバー４６には、プーリケース４１の内外を連通するとともに、閉側ケーブル１８および開側ケーブル１９の外周の一部が摺接するスリット状の閉側ケーブル挿通孔４６ｃおよび開側ケーブル挿通孔４６ｄが設けられている。
【００８８】
これにより、ケーブルに付着した雨水や埃等を除去する管状のシール機構等を、シールカバーの外側に突出させて設ける必要がなく、シールカバー４６にスリット状の各ケーブル挿通孔４６ｃ，４６ｄを設けるだけで済む。したがって、シールカバー４６を含む装置全体の大型化を招くことなく、各ケーブル１８，１９に付着した雨水や埃等を効果的に除去することができ、ひいては装置の長寿命化を図ることが可能となる。
【００８９】
また、本実施の形態に係る車両用開閉装置１４によれば、各ケーブル挿通孔４６ｃ，４６ｄの長手方向に沿う長さ寸法Ｌ１，Ｌ２が、それぞれ各ケーブル１８，１９のプーリケース４１に対する引き出し角度の変化を許容する長さ寸法となっている。
【００９０】
これにより、各ケーブル１８，１９のプーリケース４１に対する引き出し角度の変化を、シールカバー４６を大きく弾性変形させることなく容易に許容可能となる。よって、車両用開閉装置１４のスムーズな動作を可能としつつ、シールカバー４６の早期劣化を抑制することができる。
【００９１】
さらに、本実施の形態に係る車両用開閉装置１４によれば、各ケーブル１８，１９の直径寸法Ｄが、各ケーブル挿通孔４６ｃ，４６ｄを弾性変形させる大きさとなっている。
【００９２】
これにより、各ケーブル１８，１９は、各ケーブル挿通孔４６ｃ，４６ｄを弾性変形させつつ摺動するため、各ケーブル１８，１９とシールカバー４６との接触面積を十分に大きくできる。よって、各ケーブル１８，１９の外周の一部を各ケーブル挿通孔４６ｃ，４６ｄに摺接させつつも、各ケーブル１８，１９の表面に付着した雨水や埃等を効率良く除去することができる。
【００９３】
また、本実施の形態に係る車両用開閉装置１４によれば、シールカバー４６の内側でかつ各ケーブル挿通孔４６ｃ，４６ｄの周囲に、シールカバー４６の内側に突出し、各ケーブル１８，１９の外周の一部が摺接する各摺接壁部４６ｅ，４６ｆが設けられ、各摺接壁部４６ｅ，４６ｆの突出高さＨが、シールカバー４６の例えば底部ＢＴの部分の肉厚寸法Ｔよりも大きくなっている。
【００９４】
これにより、各ケーブル１８，１９が、プーリ収容部４１ｈに対する引き出し角度の変化に伴って、各摺接壁部４６ｅ，４６ｆに対してスライドするため、各ケーブル１８，１９とシールカバー４６との接触面積を十分に大きくできる。したがって、これによっても各ケーブル１８，１９の表面に付着した雨水や埃等を効率良く除去することができる。
【００９５】
また、本実施の形態に係る車両用開閉装置１４によれば、閉側ケーブル挿通孔４６ｃの長手方向に沿う長さ寸法Ｌ１が、開側ケーブル挿通孔４６ｄの長手方向に沿う長さ寸法Ｌ２よりも大きくなっている（Ｌ１＞Ｌ２）。
【００９６】
これにより、開側ケーブル１９のプーリ収容部４１ｈに対する引き出し角度の最大変化量β°よりも大きい、閉側ケーブル１８のプーリ収容部４１ｈに対する引き出し角度の最大変化量α°に、容易に対応することができる。
【００９７】
本発明は上記実施の形態に限定されるものではなく、その要旨を逸脱しない範囲で種々変更可能であることは言うまでもない。上記実施の形態では、シールカバー４６の内側でかつ各ケーブル挿通孔４６ｃ，４６ｄの周囲に、それぞれ摺接壁部４６ｅ，４６ｆを設けたものを示したが、本発明はこれに限らない。例えば、車両用開閉装置１４の仕様（被水し難い等）によっては、各摺接壁部４６ｅ，４６ｆを省略しても良い。この場合、シールカバー４６を含む装置全体を、より小型軽量化することが可能となる。
【００９８】
また、上記実施の形態では、センターレール１６の真下に設けられたケーブルガイド５０の長手方向両側に、各ケーブル１８，１９の先端側をそれぞれ固定した構造、つまり「センター駆動方式」としたものを示したが、本発明はこれに限らない。例えば、本発明は、ロワーレールの近傍にケーブルガイド５０を設け、このケーブルガイド５０の長手方向両側に、各ケーブル１８，１９の先端側を固定した構造、つまり「ロワー駆動方式」の開閉装置にも適用できる。
【００９９】
その他、上記実施の形態における各構成要素の材質，形状，寸法，数，設置箇所等は、本発明を達成できるものであれば任意であり、上記実施の形態に限定されない。
【符号の説明】
【０１００】
１０    車両
１１    車体
１２    開口部
１３    スライドドア（開閉体）
１４    車両用開閉装置（開閉装置）
１５    ローラユニット
１５ａ    本体ブラケット
１６    センターレール（ガイドレール）
１７    駆動装置
１７ａ    電動モータ
１７ｂ    ドラム
１７ｃ    ドラム部
１８    閉側ケーブル（ケーブル）
１９    開側ケーブル（ケーブル）
２０    プーリユニット
３０    第１ユニット部材
３０ａ    ユニット開口部
３１    本体部
３１ａ    中空部
３１ｂ    本体開口部
３１ｃ    固定脚
３１ｄ    カラー部材
３２    カバー部材
３３    キャップ部材
３３ａ，３３ｂ    ケーブル穴
３４    支持軸
３５    第１摺接リブ
４０    第２ユニット部材
４１    プーリケース
４１ａ    ケース本体
４１ｂ    金属カラー
４１ｃ    ボルト挿通孔
４１ｄ    揺動腕
４１ｅ    ガイド板装着部
４１ｆ    係合凹部
４１ｇ    突起部
４１ｈ    プーリ収容部
４１ｋ    プーリ装着用開口部
４１ｍ    シール用位置決め突起
４１ｎ    引っ掛け部
４２    ガイド板
４２ａ    係合爪
４３    ケーブルセパレータ
４３ａ    橋渡し部
４３ｂ    第２摺接リブ
４４    プーリ軸
４５    プーリ
４５ａ    閉側プーリ溝
４５ｂ    開側プーリ溝
４６    シールカバー
４６ａ    シール本体
４６ｂ    掛止片
４６ｃ    閉側ケーブル挿通孔（ケーブル挿通孔）
４６ｄ    開側ケーブル挿通孔（ケーブル挿通孔）
４６ｅ    閉側摺接壁部（摺接壁部）
４６ｆ    開側摺接壁部（摺接壁部）
４６ｇ    傾斜面
５０    ケーブルガイド
５１    ケーブル保持溝
ＢＴ    底部
ＤＳ    段差部
ＥＤ    縁部
Ｓ    固定ねじ
ＳＦ    摺接曲面
ＷＡ    雨水
【図１】
2020084605.tif 000003
【図２】
2020084605.tif 000004
【図３】
2020084605.tif 000005
【図４】
2020084605.tif 000006
【図５】
2020084605.tif 000007
【図６】
2020084605.tif 000008
【図７】
2020084605.tif 000009
【図８】
2020084605.tif 000010
【図９】
2020084605.tif 000011
【図１０】
2020084605.tif 000012